(57)【要約】      （修正有）【課題】便利且つ衛生的に清掃部材に対して絞る動作を行う絞り機能付きフラットモップを提供する。【解決手段】プレート１０と、モップロッド２０と、清掃部材３０と、回転部材４０と、外爪車５０と、スリーブ６０とを包括し、清掃部材がプレートの下部に設けられる。プレートは、センタプレート１０１と、二つのサイドプレート１０２とを包括し、センタプレートの両端はバネ１０３を介して各サイドプレートとそれぞれ蝶着し合い、清掃部材の両端は二つのサイドプレートの外側端にそれぞれ接続し、回転部材の下端は清掃部材の中央部と互いに接続し合い、回転部材の上端はプレートの中央部にある貫通孔１０５を貫通した後、モップロッドと回転しないように接続している。外爪車はモップロッド上に固定するように嵌設し、スリーブは間隙に合わせてモップロッドに嵌設し、スリーブの内壁には内爪車が設けられ、スリーブはセンタプレートの上方に回転しないように接続している。【選択図】図１
0003205062.tif 000002
【実用新案登録請求の範囲】
【請求項１】
プレートと、モップロッドと、清掃部材とを包括し、前記清掃部材は前記プレートの下部に設けられる絞り機能付きフラットモップであって、
そのうち、前記絞り機能付きフラットモップは、回転部材と、外爪車と、スリーブと、中継スリーブと、自在継手とをさらに包括し、前記プレートは、センタプレートと、二つのサイドプレートとを包括し、前記センタプレートの両端はバネを介して各前記サイドプレートとそれぞれ蝶着し合い、前記清掃部材の両端は二つの前記サイドプレートの外側端にそれぞれ接続し、前記回転部材の下端は前記清掃部材の中央部と互いに接続し合い、前記回転部材の上端は前記プレートの中央部にある貫通孔を貫通した後、前記モップロッドと回転しないように接続し、前記外爪車は前記モップロッド上に固定するように嵌設し、前記スリーブは間隙に合わせて前記モップロッドに嵌設し、前記スリーブの内壁には前記外爪車と組合わせる内爪車が設けられ、前記スリーブは前記センタプレートの上方に回転しないように接続し、前記中継スリーブは前記モップロッドの外部に嵌設し、前記中継スリーブの下端は前記自在継手の上端と可動可能に鋲着し合い、前記自在継手の下端は前記センタプレートの中央部に設ける接続台と可動可能に鋲着し合い、前記中継スリーブの上部の外部表面には少なくとも一つのスライダが設けられ、前記スリーブは前記中継スリーブの外部と前記モップロッドの外部とに嵌設し、前記スリーブの内部表面には前記スライダと組合わせる少なくとも一つの垂直スロットが設けられることで、前記スリーブは回転しないように前記センタプレートの上方に接続することを特徴とする絞り機能付きフラットモップ。
【請求項２】
前記絞り機能付きフラットモップは、中継接続部材をさらに包括し、前記モップロッドの下端には接続部材が接続され、前記接続部材は前記中継接続部材の上端と鋲着し合い、前記接続部材、前記中継接続部材及び前記モップロッドは下に向かって前記スリーブを貫通し、前記中継接続部材の下端は前記回転部材の上端と鋲着し合うことで、前記回転部材は前記モップロッドに回転しないように接続することを特徴とする請求項１に記載の絞り機能付きフラットモップ。
【請求項３】
前記回転部材の上部には、接続ヘッドが設けられ、前記接続ヘッドは前記センタプレートの中央部にある前記貫通孔を突出した後、前記センタープレートの中央部に設ける前記接続台の中央に設けることを特徴とする請求項１に記載の絞り機能付きフラットモップ。
【請求項４】
前記回転部材の下部には、二つの第二フックが設けられ、前記清掃部材の上部中央には二つのリングが設けられ、各前記第二フックはそれぞれ前記リングのいずれか一つに掛着することで、前記回転部材を前記清掃部材の中央部と接続し合うことを特徴とする請求項１に記載の絞り機能付きフラットモップ。
【請求項５】
各前記サイドプレートの外側には、少なくとも一つの第一フックがそれぞれ設けられ、前記清掃部材の両端には接続ロープがそれぞれ設けられ、前記接続ロープは前記第一フックに掛着することを特徴とする請求項１に記載の絞り機能付きフラットモップ。
【考案の詳細な説明】
【技術分野】
【０００１】
本考案は清掃具であって、特に、絞り機能付きフラットモップに関するものである。
【背景技術】
【０００２】
現在、フラットモップはすでに広く用いられている。通常、前記フラットモップは、プレートと、前記プレート上部に蝶着するモップロッドとを包括しており、前記プレート下部には雑巾等の清掃部材が設けられている。しかし、前記フラットモップは前記清掃部材を洗浄した後、手作業で前記清掃部材を取外し、これを絞らなければならず、不便な上、衛生的にもあまり好ましくない。
【考案の概要】
【考案が解決しようとする課題】
【０００３】
便利且つ衛生的に清掃部材に対して絞る動作を行う絞り機能付きフラットモップを提供することにある。
【課題を解決するための手段】
【０００４】
上述の問題を解決するため、本考案は、プレートと、モップロッドと、清掃部材と、回転部材と、外爪車と、スリーブと、中継スリーブと、自在継手とを包括し、前記清掃部材が前記プレートの下部に設けられる絞り機能付きフラットモップであって、前記プレートは、センタプレートと、二つのサイドプレートとを包括し、前記センタプレートの両端はバネを介して各前記サイドプレートとそれぞれ蝶着し合い、前記清掃部材の両端は二つの前記サイドプレートの外側端にそれぞれ接続し、前記回転部材の下端は前記清掃部材の中央部と互いに接続し合い、前記回転部材の上端は前記プレートの中央部にある貫通孔を貫通した後、前記モップロッドと回転しないように接続している。前記外爪車は前記モップロッド上に固定するように嵌設し、前記スリーブは間隙に合わせて前記モップロッドに嵌設し、前記スリーブの内壁には前記外爪車と組合わせる内爪車が設けられ、前記スリーブは前記センタプレートの上方に回転しないように接続し、前記中継スリーブは前記モップロッドの外部に嵌設し、前記中継スリーブの下端は前記自在継手の上端と可動可能に鋲着し合い、前記自在継手の下端は前記センタプレートの中央部に設ける接続台と可動可能に鋲着し合い、前記中継スリーブの上部の外部表面には少なくとも一つのスライダが設けられ、前記スリーブは前記中継スリーブの外部と前記モップロッドの外部とに嵌設し、前記スリーブの内部表面には前記スライダと組合わせる垂直スロットが設けられることで、前記スリーブは回転しないように前記センタプレートの上方に接続している。
【０００５】
実施例において、前記絞り機能付きフラットモップは中継接続部材をさらに包括し、前記モップロッドの下端には接続部材が接続され、前記接続部材は前記中継接続部材と鋲着し合い、前記接続部材、前記中継接続部材及び前記モップロッドは下に向かって前記スリーブを貫通し、前記中継接続部材の下端は前記回転部材の上端と鋲着し合うことで、前記回転部材は前記モップロッドに回転しないように接続している。
【０００６】
実施例において、前記回転部材の上部には接続ヘッドが設けられ、前記接続ヘッドは前記センタプレートの中央部にある前記貫通孔を突出した後、前記センタープレートの中央部に設ける前記接続台の中央に設けている。
【０００７】
実施例において、前記回転部材の下部には第二フックが設けられ、前記清掃部材の上部中央にはリングが設けられ、前記第二フックは前記リング内に掛着することで、前記回転部材を前記清掃部材の中央部と接続し合っている。
【０００８】
実施例において、各前記サイドプレートの外側には少なくとも一つの第一フックがそれぞれ設けられ、前記清掃部材の両端には接続ロープがそれぞれ設けられ、前記接続ロープは前記第一フックに掛着している。
【考案の効果】
【０００９】
本考案は、上述の技術内容が用いられているため、前記清掃部材が洗浄された後、使用者は前記絞り機能付きフラットモップを持ち、片方の手で前記スリーブを握持し、もう片方の手で前記モップロッドを回転することで、前記回転部材の連動を利用して前記清掃部材の中央部に回転を発生させ、前記清掃部材の中央部が徐々にねじれ、前記清掃部材の両端に引張力が発生することによって、二つの前記サイドプレートの外端は前記清掃部材の両外端が互いに併せるまで前記清掃部材に向かって付勢し、且つ前記モップロッドを継続的に回転することで、前記清掃部材を絞っている。このことから、本考案は、前記清掃部材の絞る過程において、使用者が前記清掃部材を取外したり接触したりする必要はなく、便利な上、衛生的であることがいえる。
【図面の簡単な説明】
【００１０】
【図１】本考案に係る絞り機能付きフラットモップの立体構成を示す分解模式図である。
【図２】図１にある回転部材の立体構成を示す模式図である。
【図３】図１にある外爪車と内爪車とが互いに組合う局部断面構成を示す模式図である。
【図４】本考案を組合わせた際の外観構成を示す模式図である。
【図５】本考案の絞る過程を示す実施模式図である。
【考案を実施するための形態】
【００１１】
まず、図１及び図４にあるとおり、本考案に係る絞り機能付きフラットモップは、プレート１０と、モップロッド２０と、清掃部材３０と、回転部材４０と、外爪車５０と、スリーブ６０と、中継スリーブ７０と、自在継手８０とを包括し、前記清掃部材３０は前記プレート１０の下部に設けられている。前記プレート１０は、センタプレート１０１と、前記センタプレート１０１の両側に位置する二つのサイドプレート１０２とを包括し、前記センタプレート１０１の両端はバネ１０３を介して各前記サイドプレート１０２とそれぞれ蝶着し合うことで、各前記サイドプレート１０２は各前記サイドプレート１０２の外側端において内側に向かう引張力の作用を受け、前記センタプレート１０１の方向に向かって付勢している。また、各前記サイドプレート１０２の外側には少なくとも一つの第一フック１０４がそれぞれ設けられ、図１のように、各前記サイドプレート１０２は三つの第一フック１０４を有している。また、前記清掃部材３０の両端には接続ロープ３０１がそれぞれ設けられ、前記接続ロープ３０１は、好ましい実施例においてラバーバンド或いはゴムひも等の弾性ロープであることができる。前記接続ロープ３０１は、実施の際、各前記サイドプレート１０２にあるこれ等第一フック１０４に掛着している。
【００１２】
次に、図２及び図５を参照すると、本考案に係る前記回転部材４０の上部には接続ヘッド４２が設けられ、前記回転部材４０の下部の両側には二つの第二フック４１が設けられている。図１のように、前記回転部材４０の前記接続ヘッド４２は前記センタプレート１０１の中央部にある貫通孔１０５を突出した後、前記センタープレート１０１の中央部に設ける接続台１０６の中央に設けている。また、前記清掃部材３０の中央部には二つのリング３０２が設けられ、前記回転部材４０にある各前記第二フック４１は前記リング３０２のいずれかにそれぞれ掛着することができる。前記回転部材４０が回転すると、これ等第二フック４１はこれ等リング３０２の転動を連動し、前記清掃部材３０の中央部に回転を発生させ内側に収縮している。
【００１３】
次に、図３も併せて参照すると、本考案に係る前記外爪車５０は前記モップロッド２０上に固定するように嵌設している。前記スリーブ６０は間隙に合わせて前記モップロッド２０に嵌設しており、さらに詳しく言うと、本考案の実施例において、前記モップロッド２０上に制限機構（図示されていない）をさらに設けることによって、前記スリーブ６０が前記中継スリーブ７０から離れる方向に移動して前記モップロッド２０を離脱することを制限している。さらに、前記スリーブ６０の内壁には内爪車６１が設けられ、前記内爪車６１は前記外爪車５０と組合わせることができ、本考案は前記内爪車６１及び前記外爪車５０の相互的接続を利用することで、前記モップロッド２０を前記スリーブ６０に対して単一方向のみに回転するようにしている。
【００１４】
次に、再び図１乃至図３を参照すると、本考案に係る前記中継スリーブ７０は前記モップロッド２０の外部に嵌設し、前記中継スリーブ７０の下端は前記自在継手８０の上端と可動可能に鋲着し合い、前記自在継手８０の下端は前記センタプレート１０１の中央部にある前記接続台１０６と可動可能に鋲着し合い、さらに前記中継スリーブ７０を前記プレート１０に対して回転運動ができないようにしている。また、前記中継スリーブ７０は前記スリーブ６０の上部の外部表面に対して少なくとも一つのスライダ７１を設け、前記スリーブ６０は前記中継スリーブ７０の上端外部に設けて前記モップロッド２０の外部に嵌設しており、さらに詳しく言うと、前記スリーブ６０の内部表面には前記スライダ７１と互いに組合わせる少なくとも一つの垂直スロット６２が設けられ、実施例において、図１及び図３のように、前記垂直スロット６２は前記スリーブ６０に環設することができ、且つ前記モップロッド２０から離れる方向に向かって凸出している。次に、前記スリーブ６０と前記中継スリーブ７０とを組合わせた後、前記スライダ７１は前記垂直スロット６２に挿入し、前記スリーブ６０を前記中継スリーブ７０に対してだけ上下に滑動するように制限し、前記中継スリーブ７０に対して回転運動しないようにし、且つ前記スリーブ６０と前記中継スリーブ７０とを組合わせた後、前記プレート１０に対しても回転運動ができないようにしている。また、前記モップロッド２０の下端には接続部材２０１が接続され、前記接続部材２０１は中継接続部材２０２の上端と鋲着し合っている。本考案を組合わせる際、前記接続部材２０１、前記中継接続部材２０２及び前記モップロッド２０を予め組合せた後、前記接続部材２０１、前記中継接続部材２０２及び前記モップロッド２０を予め組合せたものを前記スリーブ６０及び前記中継スリーブ７０に貫設し、さらに前記中継接続部材２０２の下端と前記回転部材４０の前記接続ヘッド４２とを鋲着し合うことで、前記回転部材４０の上端は前記センタプレート１０１の中央部に枢設し、前記モップロッド２０と任意に回転できない組合せ関係を生じている。なお、ここで述べている任意に回転できないというのは、前記モップロッド２０と前記回転部材４０とが互いに組み合わさった後、前記回転部材４０は前記モップロッド２０の軸方向で前記モップロッド２０に対する回転運動を行うことができないということである。さらにまた、本考案の実施例において、前記接続ヘッド４２及び前記モップロッド２０は少なくとも一つの貫通孔をそれぞれ設けており、前記貫通孔は少なくとも一つのリベットを鋲着し、前記リベットを介して前記接続ヘッド４２及び前記モップロッド２０の組合せを完成している。
【００１５】
次に、再び図１乃至図５を参照すると、本考案に係る絞り機能付きフラットモップを実施する際、まず、前記スリーブ６０を前記中継スリーブ７０に向かって押動することで、前記スライダ７１は前記垂直スロット６２に挿入し、前記スリーブ６０を前記中継スリーブ７０に対して上下に滑動することはできるが前記中継スリーブ７０に対して回転運動できないようにし、さらに前記スリーブ６０を前記プレート１０に対して回転運動できないようにしている。また、前記スリーブ６０が前記中継スリーブ７０の方向に向かって押動する過程において、本考案に係る前記外爪車５０も前記内爪車６１と接続し合っている。前記スリーブ６０と前記中継スリーブ７０とが接続した後、使用者は片方の手で前記スリーブ６０を握持し、もう片方の手で前記モップロッド２０を回転することができる。前記モップロッド２０は前記スリーブ６０の制限を受けて単方向にのみ回転するため、前記モップロッド２０は前記回転部材４０の回転を単方向にのみ連動しており、この時、前記第二フック４１は前記清掃部材３０の前記リング３０２を連動することで、前記清掃部材３０の中央部に回転を発生させ、前記清掃部材３０の中央部が徐々にねじれる過程において、前記清掃部材３０の両端に引張力が発生し、且つ前記清掃部材３０の二つの外側端はそれぞれ前記接続ロープ３０１と二つの前記サイドプレート１０２にある前記第一フック１０４によって固定し合っているため、前記清掃部材３０がねじれると、各前記サイドプレート１０２の外端は、前記清掃部材３０のねじれによって発生した内側に向かう引張力の作用を受け、前記清掃部材３０の両外端が互いに併せるまで前記センタプレート１０１の方向に向かって付勢しており、これによって、使用者が継続的に前記モップロッド２０を回転させると、前記清掃部材３０を絞ることができる。前記清掃部材３０の絞り操作が完成した後、使用者は前記スリーブ６０を前記中継スリーブ７０から離れる方向に押動することで、前記垂直スロット６２は前記スライダ７１から離脱し、前記モップロッド２０は単方向回転の制限を受けることなく、前記回転部材４０の回転を自由に連動し、前記清掃部材３０に上述の絞る過程とは反対の回転を発生させいている。これと同時に、前記清掃部材３０の両外端を併せる作用力がなくなり、前記バネ１０３の復帰作用力が働き、二つの前記サイドプレート１０２が前記スリーブ６０の方向に付勢することで、前記清掃部材３０は絞る前の態様に復帰している。
【産業上の利用可能性】
【００１６】
以上のことから、本考案に係る絞り機能付きフラットモップは、前記スリーブを利用して前記中継スリーブと組合わせた後、前記スリーブは前記中継スリーブに対して回転運動ができなくなり、使用者に片方の手で前記スリーブを握持し、もう片方の手で前記モップロッドを回転し、二つの前記サイドプレートを前記センタプレートの方向に付勢して前記清掃部材を絞っている。従って、本考案は前記清掃部材を洗浄した後、前記清掃部材を取外したり接触したりする必要はなく、そのまま前記清掃部材を絞るため、便利な上、衛生的である。
【符号の説明】
【００１７】
１０      プレート
１０１    センタプレート
１０２    サイドプレート
１０３    バネ
１０４    第一フック
１０５    貫通孔
１０６    接続台
２０      モップロッド
２０１    接続部材
２０２    中継接続部材
３０      清掃部材
３０１    接続ロープ
３０２    リング
４０      回転部材
４１      第二フック
４２      接続ヘッド
５０      外爪車
６０      スリーブ
６１      内爪車
６２      垂直スロット
７０      中継スリーブ
７１      スライダ
８０      自在継手
【図１】
0003205062.tif 000003
【図２】
0003205062.tif 000004
【図３】
0003205062.tif 000005
【図４】
0003205062.tif 000006
【図５】
0003205062.tif 000007